(57)【要約】      （修正有）【課題】小型の構成で取付場所の制限を緩和すると共に連続照射で長時間の使用を可能にし、密閉状態に近い部屋や物置の空気を簡便に除菌・消臭して衛生面の向上を図る除菌・消臭装置を提供する。【解決手段】安定化二酸化塩素の単体、亜塩素酸塩の単体、安定化二酸化塩素及び亜塩素酸塩の混合体から選択される薬剤を入れた容器１と、容器１中の薬剤から二酸化塩素ガスを発生させるように上方から容器１に向けて紫外線を照射する紫外線ＬＥＤの紫外線照射部２と紫外線照射部２に給電する電池収納部３と、紫外線照射部２を支持すると共に容器１及び電池収納部３を配置する設置部４とを備える。【選択図】図１
0003160033.tif 000002
【実用新案登録請求の範囲】
【請求項１】
安定化二酸化塩素の単体、亜塩素酸塩の単体、安定化二酸化塩素及び亜塩素酸塩の混合体から選択される薬剤を入れた容器と、
該容器中の薬剤から二酸化塩素ガスを発生させるように上方から容器に向けて紫外線を照射する紫外線ＬＥＤの紫外線照射部と
該紫外線照射部に給電する電池収納部と、
前記紫外線照射部を支持すると共に前記容器及び前記電池収納部を配置する設置部とを備えたことを特徴とする除菌・消臭装置。
【請求項２】
紫外線照射部の紫外線照射によって発生した二酸化塩素ガスを拡散させるファンを備えたことを特徴とする請求項１に記載の除菌・消臭装置。
【考案の詳細な説明】
【技術分野】
【０００１】
本考案は、空気を除菌・消臭し得る除菌・消臭装置に関するものである。
【背景技術】
【０００２】
従来から二酸化塩素は、病原菌などの細菌やノロウイルス、インフルエンザウイルスなどの有害ウイルスに対し、オゾンと同等かそれ以上に除菌・殺菌に効果があることが知られている。
【０００３】
また二酸化塩素は通常ガス体であるため、アルカリ性水溶液に溶存させて安定化二酸化塩素水として用いたり、亜塩素酸塩溶液として用いたりしている。
【０００４】
一方で安定化二酸化塩素水や亜塩素酸塩溶液は、放置した状態で二酸化塩素ガスの発生が非常に弱いため、種々の方法により使用時に二酸化塩素ガスを発生させるようにしている。
【０００５】
具体的には、安定化二酸化塩素水にクエン酸などの酸類を添加・混合する方法や、溶液やゾルやゲル状態の薬剤に対し、紫外線ランプから紫外線を照射して二酸化塩素ガスを発生させる方法が知られている。
【０００６】
また紫外線ランプから紫外線を照射する装置としては、吸気口及び排気口にファンを設置して拡散させる装置や、吸気口がなく、排気ファンや排気口のみを設ける装置が知られている（例えば、特許文献１〜４参照）。
【先行技術文献】
【特許文献】
【０００７】
【特許文献１】特開２００１−３１４４９２号公報
【特許文献２】特開２０００−２０２００９号公報
【特許文献３】特開平１１−２８５５２５号公報
【特許文献４】特開２００６−１９１９６０号公報
【考案の概要】
【考案が解決しようとする課題】
【０００８】
しかし、従来の紫外線照射装置は、１００Ｖ交流電源をコンセントに接続して使用する構成や、一定期間毎に充電する充電器を使用する構成や、大容量の乾電池を使用する構成であるため、小型化が困難になると共に、装置の取付場所が制限されるという問題があった。
【０００９】
また従来の紫外線照射装置は、いずれも紫外線ランプを使用するため、連続照射の期間が短く、更に装置の小型化に伴って電池の容量を小さくした場合には、連続照射の時間が１ヶ月未満になり、持続性が低下するという問題があった。
【００１０】
本考案は上述の実情に鑑みてなしたもので、小型の構成で取付場所の制限を緩和すると共に連続照射で長時間の使用を可能にし、密閉状態に近い部屋や物置の空気を簡便に除菌・消臭して衛生面の向上を図る除菌・消臭装置を提供することを目的とする。
【課題を解決するための手段】
【００１１】
本考案は、安定化二酸化塩素の単体、亜塩素酸塩の単体、安定化二酸化塩素及び亜塩素酸塩の混合体から選択される薬剤を入れた容器と、該容器中の薬剤から二酸化塩素ガスを発生させるように上方から容器に向けて紫外線を照射する紫外線ＬＥＤの紫外線照射部と該紫外線照射部に給電する電池収納部と、前記紫外線照射部を支持すると共に前記容器及び前記電池収納部を配置する設置部とを備えたことを特徴とする除菌・消臭装置、にかかるものである。
【００１２】
また本考案は、紫外線照射部の紫外線照射によって発生した二酸化塩素ガスを拡散させるファンを備えることが好ましい。
【考案の効果】
【００１３】
上記した本考案の除菌・消臭装置によれば、低電力で紫外線を照射する紫外線ＬＥＤの紫外線照射部を用いると共に、紫外線照射部へ電池により給電する電池収納部を備えるので、小型の構成にして取付場所の制限を緩和することができる。また長寿命の紫外線ＬＥＤの紫外線照射部を用いるので、連続照射の期間を長くし、小型化に伴って電池の容量を小さくした場合であっても、連続照射の時間を１ヶ月以上にして持続性を高めることができるという優れた効果を奏し得る。
【図面の簡単な説明】
【００１４】
【図１】本考案の第一の形態例を示す概念図である。
【図２】本考案の第二の形態例を示す概念図である。
【考案を実施するための形態】
【００１５】
以下本考案を実施する第一の形態を図面を参照しつつ説明する。
【００１６】
図１は本考案の第一の形態例を示すものである。
【００１７】
図１に示す如く、本形態例の除菌・消臭装置は、薬剤を入れた容器１と、容器１の薬剤へ紫外線を照射する紫外線照射部２と、紫外線照射部２に給電する電池収納部３と、紫外線照射部２を支持するように電池収納部３を設け且つ容器１を配置する設置部４とを備えている。ここで除菌・消臭装置は、除菌のみに用いるものでも良いし、消臭のみに用いるものでも良いし、除菌及び消臭に用いるものでも良い。また除菌・消臭装置は、電源コンセントを必要とするものでない。
【００１８】
容器１は、上部を開放した円筒形のものであり、内部に入れる薬剤は、液状、ゾル状またはゲル状であって、安定化二酸化塩素の単体、亜塩素酸塩の単体、安定化二酸化塩素及び亜塩素酸塩の混合体から選択されている。
【００１９】
紫外線照射部２は、光源として用いられる３．６Ｖの紫外線ＬＥＤ（発光ダイオード）のＵＶランプ５と、紫外線ＬＥＤのＵＶランプ５を支持するアーム部６と、紫外線ＬＥＤのＵＶランプ５の周囲に位置するランプカバー７とを備えている。紫外線ＬＥＤは、砲弾型や表面実装型でピーク波長が３６０−３８０ｎｍ、順電圧３．０−４．５Ｖのものを用いている。また紫外線ＬＥＤは、ピーク波長２００−３００ｎｍの通常の殺菌用紫外線ランプに比べて、紫外線自体の殺菌力が非常に弱いが、人の目への有害性は低く、極めて長寿命である。アーム部６は、電池収納部３から上方へ延在し且つ止めネジ等の調整つまみ６ａやスライド機構により高さを調整し得る縦部材６ｂと、縦部材６ｂの上端から側方へ延在する横部材６ｃとを備え、横部材６ｃの先端に紫外線ＬＥＤのＵＶランプ５を配置するようにしている。更にランプカバー７は側面を遮光式にした反射型のものであり、紫外線が直接人の目に入らないようにしている。
【００２０】
電池収納部３は、容器１の側部に位置するプラスチック、アルミまたはステンレス製のボックス容器８で構成されており、内部には複数の乾電池９を交換可能に配置している。また電池収納部３は、乾電池９からアーム部６の内部を介して紫外線ＬＥＤのＵＶランプ５へ電源を供給するように配線（図示せず）を備えている。更に電池収納部３の上部にはスイッチ１０を取り付け、紫外線ＬＥＤのＵＶランプ５への給電をオンオフし得るようにしている。ここで電池収納部３にはタイマー（図示せず）を備えて照射時間を設定できるようにしても良い。
【００２１】
設置部４は、電池収納部３を設置すると共に容器１を交換可能に配置する台ボード１１で構成されている。
【００２２】
以下本考案の第一の形態例の作用を説明する。
【００２３】
二酸化塩素ガスを発生させる際には、除菌・消臭装置を、図１のように周囲が開放された状態で、やや密封された部屋や物置等に設置する。
【００２４】
次にスイッチ１０を入れ、紫外線ＬＥＤのＵＶランプ５から容器１の薬剤へ紫外線を照射し、二酸化塩素ガスを発生させる。この時、二酸化塩素ガスは、部屋や物置内で飛散または拡散し、空間の病原菌やインフルエンザウイルスなどの有事ウイルスを除菌し、トイレなどの腐敗臭、寝たきり老人のベッドに染み付いた汗臭、加齢臭などを消臭する。
【００２５】
また当該形態例において３．６Ｖの紫外線ＬＥＤのＵＶランプ５を備える構成では、単三の乾電池９を３個使用することにより、１ヶ月強の連続照射が可能になった。
【００２６】
而して、このように第一の形態例によれば、低電力で紫外線を照射する紫外線ＬＥＤの紫外線照射部２を用いると共に、紫外線照射部２へ乾電池９等により給電する電池収納部３を備えるので、小型の構成にして取付場所の制限を緩和することができる。また長寿命の紫外線ＬＥＤの紫外線照射部２を用いるので、連続照射の期間を長くし、小型化に伴って電池の容量を小さくした場合であっても、連続照射の時間を１ヶ月以上にして持続性を高めることができる。
【００２７】
更に紫外線照射部２は、紫外線ＬＥＤを使用するものであるので、発光効率も良く、電気消費量も少なく、乾電池９で紫外線を十分照射して、連続照射で長時間使用することができる。また紫外線照射部２は、通常の殺菌用紫外線ランプのように安定器付きのコードを介して１００Ｖ交流電源を使用する構成と異なり、１００Ｖ電源コンセントを必要とすることもないので、設置可能なスペースがあればどこでも設置することができる。
【００２８】
以下本考案を実施する第二の形態を図面を参照しつつ説明する。
【００２９】
図２は本考案の第二の形態例を示すものであり、電池収納部３の構成を変更したものである。なお図中、図１と同一の符号を付した部分は同一物を表わしている。
【００３０】
電池収納部１２は、第一の形態例とほぼ同様に、容器１の側部に位置するプラスチック、アルミまたはステンレス製のボックス容器１３で構成されており、内部には複数の乾電池９を交換可能に配置している。また電池収納部１２は、第一の形態例とほぼ同様な配線（図示せず）やスイッチ１０等を備えている。更に電池収納部１２の外面には小型のファン１４を備えており、密閉空間でも二酸化塩素ガスを拡散させるようにしている。ここで電池収納部１２は、容器１側の側面に孔（図示せず）を備え、小型のファン１４から容器１に向かって風が流れるようにしても良い。
【００３１】
以下本考案の第二の形態例の作用を説明する。
【００３２】
二酸化塩素ガスを発生させる際には、除菌・消臭装置を、図２のように周囲が開放された状態で、密封された部屋や物置等に設置する。
【００３３】
次にスイッチ１０を入れ、ファン１４を回転させると共に、紫外線ＬＥＤのＵＶランプ５から容器１の薬剤へ紫外線を照射し、二酸化塩素ガスを発生させる。この時、二酸化塩素ガスは、部屋や物置内でファン１４の風により飛散または拡散し、空間の病原菌やインフルエンザウイルスなどの有事ウイルスを除菌し、トイレなどの腐敗臭、寝たきり老人のベッドに染み付いた汗臭、加齢臭などを消臭する。
【００３４】
而して、このように第二の形態例によれば、第一の形態例と同様な作用効果を得ることができる。
【００３５】
また電池収納部１２は、小型のファン１４を備えると、風がない密封状態の空間でも、適切に二酸化塩素ガスを拡散させ、一定濃度の二酸化塩素により除菌・消臭することができる。
【００３６】
尚、本考案の除菌・消臭装置は、上述の形態例にのみ限定されるものではなく、本考案の要旨を逸脱しない範囲内において種々変更を加え得ることは勿論である。
【符号の説明】
【００３７】
１  容器
２  紫外線照射部
３  電池収納部
４  設置部
５  紫外線ＬＥＤのＵＶランプ
１２  電池収納部
１４  ファン
【図１】
0003160033.tif 000003
【図２】
0003160033.tif 000004